(57)【要約】【課題】前面扉を閉じるときの振動を検知することなく、ゴト行為による振動を検知する。【解決手段】遊技盤４に、遊技盤４の振動を検知する振動検知センサ２１を取り付ける。本体枠３に、前面扉５の開閉状態を検知する開閉検知センサ２２を取り付ける。開閉検知センサ２２は、前面扉５が開放されていることを検知したときには開放信号を、前面扉５が閉じられていることを検知したときには閉じ信号を、制御部２０に出力する。制御部２０は、開閉検知センサ２２から開放信号が入力されたことに応答して、振動検知センサ２１を、振動を検知しない状態に制御する。制御部２０は、開閉検知センサ２２から閉じ信号が入力されてから５秒経過したことに応答して、振動検知センサ２１を、振動を検知する状態に制御する。【選択図】図３
2008043411.tif 000002
【特許請求の範囲】
【請求項１】
遊技領域が形成された遊技盤を保持する本体枠と、前記本体枠に前記遊技盤を覆うようにして開閉自在に組み付けられる前面扉と、を備えた遊技機において、
前記遊技盤の振動を検知する振動検知センサと、
前記前面扉が開放されているときに前記振動検知センサによる検知を無効化し、前記前面扉が閉じられているときに前記振動検知センサによる検知を有効化する制御を行う制御手段と、を備えたことを特徴とする遊技機。
【請求項２】
前記前面扉の開閉を検知する開閉検知センサを備え、
前記制御手段は、前記開閉検知センサによる検知状態に応答して、前記振動検知センサによる検知を無効化または有効化する制御を行うことを特徴とする請求項１記載の遊技機。
【請求項３】
前記前面扉を閉じた状態で施錠するとともに、鍵を使用した解錠動作を行うことにより前記前面扉を解錠する施錠装置と、
前記解錠動作を検知する解錠動作検知手段と、を備え、
前記制御手段は、前記解錠動作検知手段による検知に応答して、前記振動検知センサによる検知を無効化することを特徴とする請求項１または２記載の遊技機。
【請求項４】
前記制御手段は、前記前面扉が閉じられた後、予め設定された設定時間経過後に前記振動検知センサによる検知を有効化することを特徴とする請求項１ないし３いずれか１つ記載の遊技機。
【請求項５】
前記振動検知センサは、前記前面扉の開閉時に発生する振動を検知可能であることを特徴とする請求項１ないし４いずれか１つ記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、本体枠に遊技盤が装着されており、この遊技盤には、各種入賞口や入賞球装置、複数の釘などが設けられた遊技領域があり、球発射装置で打ち出されたパチンコ球をこの遊技領域で流下させることによってゲームが行われる。遊技盤の遊技領域は、透明なガラスや透明な強化プラスチックプレート製の透明板で覆われ、遊技の過程を遊技者が透視できるようになっている。ガラスは前面扉で保持され、この前面扉は、本体枠に回動可能に組み付けられている。
【０００３】
前面扉は、通常、本体枠に施錠装置により施錠されており、鍵等の施錠媒体により本体枠と前面扉との施錠を解除することで、前面扉が回動可能となる。遊技中には、パチンコ球が釘同士の間に挟まり、遊技領域に滞留したままの状態になることがある。この場合には、遊技場の管理者が鍵により本体枠と前面扉との施錠を解除し、前面扉を開放（回動）してパチンコ球を排除している。そして、パチンコ球を排除した後、前面扉を閉じて、鍵により本体枠と前面扉とを施錠している。
【０００４】
一方、近年では、パチンコ機を叩いて振動させることにより不正に利益を得る、いわゆるゴト行為を行う者がおり、このゴト行為の対策として、特許文献１では、パチンコ機の振動を検知する振動検知センサを設け、振動を検知したときには、警報を発するパチンコ機の防犯システムが提案されている。
【０００５】
また、特許文献２では、振動検出センサにより振動検出が行われた場合、遊技球の発射を停止させ、パチンコ機を叩く等の不正行為が行われた場合にも、遊技場運営側に不利益になることがない遊技機および遊技機用情報処理装置が提案されている。さらに、特許文献３では、パチンコ機前面の下側領域に取り付けられ、遊技者側に膨出した形状であるとともに、複数の機種で共有する上皿ユニットの内部に、パチンコ機の振動を検出する振動検出装置を設置し、機種変更を行うときにも振動検出装置を交換する必要がなく、さらには、遊技者が叩いたり押したりする確率の高い上皿ユニット内部に振動検出装置を設置することにより、確実に振動を検出することができる不正検出機構付きの縦型弾球遊技機が提案されている。
【特許文献１】実開平６−７７８７号公報
【特許文献２】特開２００２−９０１号公報
【特許文献３】特開２００４−２２３００４号公報
【発明の開示】
【発明が解決しようとする課題】
【０００６】
しかしながら、特許文献１〜３では、振動検知センサの感度を上げると、前面扉を閉じるときの振動で振動検知センサが振動を検知してしまい、振動検知センサの感度を下げると、ゴト行為によるパチンコ機の振動を検知することができないという問題があった。
【０００７】
本発明は、上記課題を解決するためになされたものであり、前面扉を閉じるときの振動を検知することなく、ゴト行為による振動を検知することができる遊技機を提供することを目的とする。
【課題を解決するための手段】
【０００８】
上記目的を達成するために、本発明の遊技機は、遊技領域が形成された遊技盤を保持する本体枠と、前記本体枠に前記遊技盤を覆うようにして開閉自在に組み付けられる前面扉と、を備えた遊技機において、前記遊技盤の振動を検知する振動検知センサと、前記前面扉が開放されているときに前記振動検知センサによる検知を無効化し、前記前面扉が閉じられているときに前記振動検知センサによる検知を有効化する制御を行う制御手段と、を備えたことを特徴とする。なお、前記振動検知センサによる検知を無効化した状態としては、振動検知センサが振動を検知しない状態、振動検知センサが振動を検知するが制御手段に振動検知信号を出力しない状態、制御手段に振動検知信号が入力されたときにもそれを報知しない状態等が挙げられる。
【０００９】
また、前記前面扉の開閉を検知する開閉検知センサを備え、前記制御手段は、前記開閉検知センサによる検知状態に応答して、前記振動検知センサによる検知を無効化または有効化する制御を行うことが好ましい。
【００１０】
さらに、前記前面扉を閉じた状態で施錠するとともに、鍵を使用した解錠動作を行うことにより前記前面扉を解錠する施錠装置と、前記解錠動作を検知する解錠動作検知手段と、を備え、前記制御手段は、前記解錠動作検知手段による検知に応答して、前記振動検知センサによる検知を無効化することが好ましい。
【００１１】
また、前記制御手段は、前記前面扉が閉じられた後、予め設定された設定時間経過後に前記振動検知センサによる検知を有効化することが好ましい。なお、前記設定時間は、前記前面扉を閉じたときに発生する振動が収まるまでの時間であり、適宜変更可能であることが好ましい。
【００１２】
さらに、前記振動検知センサは、前記前面扉の開閉時に発生する振動を検知可能であることが好ましい。
【発明の効果】
【００１３】
本発明の遊技機によれば、遊技領域が形成された遊技盤を保持する本体枠と、本体枠に遊技盤を覆うようにして開閉自在に組み付けられる前面扉と、遊技盤の振動を検知する振動検知センサと、前面扉が開放されているときに振動検知センサによる検知を無効化し、前面扉が閉じられているときに振動検知センサによる検知を有効化する制御を行う制御手段と、を備えたから、前面扉を開放しているとき及び前面扉を閉じるときの振動を検知することがなく、前面扉が閉じられた状態でのゴト行為による振動を確実に検知することができる。
【００１４】
また、前面扉の開閉を検知する開閉検知センサを備え、制御手段は、開閉検知センサによる検知状態に応答して、振動検知センサによる検知を無効化または有効化する制御を行うから、簡単且つ確実に、前面扉を開放しているときの振動を検知することなく、さらに、前面扉を閉じるときの振動を検知することなく、前面扉が閉じられた状態でのゴト行為による振動を検知することができる。
【００１５】
さらに、前面扉を閉じた状態で施錠するとともに、鍵を使用した解錠動作を行うことにより前面扉を解錠する施錠装置と、解錠動作を検知する解錠動作検知手段と、を備え、制御手段は、解錠動作検知手段による検知に応答して、振動検知センサによる検知を無効化するから、解錠動作を検知した後には、作業者がどのような作業を行った場合にも、振動を検知することがない。また、不正に前面扉を開放しようとした場合には、振動検知センサが無効化されないため、不正対策の向上を図ることができる。さらに、鍵を使用して解錠動作を行った場合には、前面扉の開放前に振動検知センサを無効化するから、前面扉の開放時に振動検知センサが振動を検知することがない。
【発明を実施するための最良の形態】
【００１６】
図１及び図２に示すように、遊技機の１実施例であるパチンコ機２は、本体枠３の内部に遊技盤４が配設されており、本体枠３の前面には前面扉５が開閉自在に組み付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。
【００１７】
図柄可変表示装置９の周りには、始動入賞口１０、通常入賞口１１、アタッカ１２、アウト口１３、飾り１４が設けられている。また、遊技盤４の略中央には、センター役物１５が設けられており、センター役物１５に形成された開口１５ａを介して、図柄可変表示装置９を視認することができる。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０,１１及びアタッカ１２のいずれかに入るか、あるいはアウト口１３から回収される。なお、パチンコ機２の遊技領域４ａに設けられている複数の釘、風車などの構造体は公知であるので説明は省略する。
【００１８】
本体枠３には、前面扉５を施錠する施錠装置１６（図４参照）が設けられている。詳しくは後述するように、施錠装置１６は、前面扉５を閉じた状態で施錠するとともに、鍵４０を使用した解錠動作を行うことにより前面扉５を解錠する。
【００１９】
前面扉５は、本体枠３の前面に開閉自在に組み付けられている。前面扉５の内側には、可視可能なガラスが取り付けられている。前面扉５には、スピーカ１７が設けられている。また、前面扉５の後面には、施錠装置１６の施錠板３３に係合するブラケット１８が、上下に１個ずつ計２個設けられている。なお、前面扉５が閉じているロック状態であるときには、遊技者や遊技場の管理者は、ガラスを通して遊技盤４の遊技領域４ａを流下していくパチンコ球７を見ることはできるが、遊技盤４にはもちろんのこと本体枠３の内部にも触れることができないようになっている。
【００２０】
本体枠３の内部には、パチンコ機２の駆動を制御する制御部（制御手段）２０が設けられている。制御部２０は、図柄可変表示装置９、スピーカ１７等の駆動を制御する。
【００２１】
遊技盤４には、遊技盤４の振動を検知する振動検知センサ２１が取り付けられている。この振動検知センサ２１は、制御部２０に接続されており、制御部２０により駆動が制御される。振動検知センサ２１は、振動を検知したことに応答して、振動検知信号を制御部２０に出力する。制御部２０は、振動検知信号が入力されたことに応答して、スピーカ１７から、振動を検知した旨の音声（例えば、「振動を検知しました」）を出力する。なお、振動検知センサ２１は、前面扉５の開閉時に発生する振動を検知可能なものから構成されている。
【００２２】
図３に示すように、本体枠３には、前面扉５の開閉状態を検知する開閉検知センサ２２が取り付けられている。この開閉検知センサ２２は、パチンコ機２の駆動を制御する制御部２０に接続されており、前面扉５が開放されていることを検知したときには開放信号を、前面扉５が閉じられていることを検知したときには閉じ信号を、制御部２０に出力する。
【００２３】
開閉検知センサ２２は、本体部２２ａと、本体部２２ａに移動自在に設けられた移動部２２ｂと、を備える。移動部２２ｂは、オン位置（図３（Ｂ）参照）とオフ位置（図３（Ａ）参照）との間で移動自在に設けられており、バネ（図示せず）によりオフ位置に向けて付勢されている。前面扉５を開放しているときには、移動部２２ｂはバネの付勢により、オフ位置に位置する。前面扉５を閉じたときには、前面扉５に設けられた当接部５ａが移動部２２ｂに当接し、当接部５ａにより移動部２２ｂはオン位置に移動する。
【００２４】
開閉検知センサ２２は、移動部２２ｂがオン位置に位置する（前面扉５が閉じられている）ときには、閉じ信号を出力し、移動部２２ｂがオフ位置を含むオン位置ではない位置に位置する（前面扉５が開放されている）ときには、開放信号を出力する。
【００２５】
制御部２０は、開閉検知センサ２２から開放信号が入力されたことに応答して、振動検知センサ２１による検知を無効化する。この振動検知センサ２１による検知を無効化した状態としては、振動検知センサ２１が振動を検知しない状態、振動検知センサ２１が振動を検知するが振動検知信号を出力しない状態、制御部２０に振動検知信号が入力されたときにも上記した球発射装置の駆動を停止しない状態、演出ランプやスピーカ１７等からの出力が休止される演出制御休止状態等が挙げられる。本実施形態では、制御部２０は、開閉検知センサ２２から開放信号が入力されたことに応答して、振動検知センサ２１を、振動を検知しない状態に制御する。
【００２６】
制御部２０は、開閉検知センサ２２から閉じ信号が入力されてから、予め設定された設定時間（例えば、５秒）経過したことに応答して、振動検知センサ２１による検知を有効化（振動検知センサ２１を、振動を検知する状態に制御）する。なお、前記設定時間は、前面扉５を閉じたときに発生する振動が収まるまでの時間であり、適宜変更可能である。これにより、前面扉５を閉じたときに発生する振動を、振動検知センサ２１が検知することがない。
【００２７】
図４、図５及び図６に示すように、施錠装置１６は、支持板３１、移動板３２、施錠板３３、シリンダ３４を備えて構成されている。施錠板３３は、上下に１個ずつ計２個設けられている。なお、支持板３１は、移動板３２、施錠板３３、シリンダ３４が組み付けられた状態で、本体枠３の内部に組み付けられる。以下では、施錠板３３と前面扉５に設けられたブラケット１８との係合が行われる施錠板３３の位置を係合位置として説明する。なお、２個の施錠板３３は、同じ動きをするものであり、図５及び図６においては、２個の施錠板３３のうち、上側の施錠板３３のみを図示している。
【００２８】
施錠板３３は、それぞれカシメピン３６等により、支持板３１に回動自在に組み付けられる。施錠板３３は、その一端に爪部３３ａが設けられ、爪部３３ａは、支持板３１に形成された開口３１ａに挿通される。開口３１ａを挿通された爪部３３ａは、本体枠３に形成された開口３ａを介して、本体枠３の前面側に突出している。なお、前面扉５が閉じられている場合、爪部３３ａは、前面扉５の後面に設けられたブラケット１８に係合する。
【００２９】
施錠板３３の爪部３３ａとは反対側の端部には、押下部３３ｂが設けられている。この押下部３３ｂは、後述する移動板３２が下方（図６中Ａ方向）へスライドすると、移動板３２の押圧片３２ｂが当接し、押圧片３２ｂによって押し下げられる。これにより、施錠板３３が図６中Ｂ方向に回動し、施錠板３３の爪部３３ａとブラケット１８との係合が解除される。以下では、施錠板３３とブラケット１８との係合が解除されたときの施錠板３３の位置を、解除位置として説明する。
【００３０】
また、施錠板３３にはフック部３３ｃが形成されており、このフック部３３ｃにコイルバネ３７の一端が組み付けられる。このコイルバネ３７の他端は支持板３１のフック部３１ｂに組み付けられる。これにより、施錠板３３は係合位置に向けて（図５中Ｃ方向に）付勢される。
【００３１】
移動板３２は、その上下２箇所にガイド穴３２ａが設けられている。この移動板３２は、これらガイド穴３２ａを介してカシメピン３８等により支持板３１に組み付けられる。また、このガイド穴３２ａは、その長手方向が上下方向となるように設けられているので、移動板３２のスライド時には、ガイド穴３２ａがカシメピン３８に沿って移動することになる。これにより、移動板３２が上方、又は下方にスライドする。
【００３２】
移動板３２には、上端部と中央部よりもやや下方の下側部とに、押圧片３２ｂが形成されている。この押圧片３２ｂは、移動板３２の下方へのスライド時に施錠板３３の押下部３３ｂを押下して、施錠板３３を係合位置から解除位置に向けて回動する（図６参照）。
【００３３】
移動板３２の中央よりもやや上部には、連結片３２ｃが設けられる。この連結片３２ｃは後述する伝達部材４１に設けられた伝達片４１ａ，４１ｂ（図７参照）の間に入り込み、後述するシリンダ３４の作動時に、移動板３２を連動させる。
【００３４】
鍵４０に基づいて駆動するシリンダ３４は、支持板３１の中央よりもやや上部に組み付けられる。シリンダ３４は、鍵４０が挿入される挿入凹部３４ａ（図７参照）が形成されている。シリンダ３４の後面には、挿入凹部３４ａに挿入された鍵４０の操作（回転）に連動して回転する回転軸３４ｂが設けられている。この回転軸３４ｂには、略Ｖ字状の伝達部材４１がカシメ等により組み付けられている。伝達部材４１は、所定のピッチ間隔をおいて２個の伝達片４１ａ，４１ｂが設けられ、これら伝達片４１ａ，４１ｂの間には、移動板３２の連結片３２ｃが入り込む。これにより、鍵４０をシリンダ３４に差し込んで鍵４０を回転させると、伝達部材４１を介して移動板３２が上方又は下方にスライドする。
【００３５】
図７（Ａ）に示すように、例えば鍵４０を図７（Ａ）中二点鎖線で示す初期位置から図中Ｄ方向に回転させた場合には、伝達部材４１が図７（Ｂ）中二点鎖線で示す初期位置から図中Ｄ方向に回転する。この際、伝達部材４１の伝達片４１ａが連結片３２ｃを図７（Ｂ）中Ａ方向に押圧することにより、移動板３２がＡ方向（下方）にスライドする。移動板３２がＡ方向（下方）にスライドすると、図６に示すように、コイルバネ３７の付勢に抗して、移動板３２の押圧片３２ｂが、施錠板３３の押下部３３ｂを押下して、施錠板３３を係合位置から解除位置に向けて回動する。なお、図７（Ａ）は正面図であり、図７（Ｂ）は後面図である。
【００３６】
解除位置にある鍵４０から手を離すと、コイルバネ３７の付勢力による復帰しようとする力によって施錠板３３が施錠位置に向けて回動する。そして、施錠板３３の押下部３３ｂにより移動板３２の押圧片３２ｂが図７中Ｅ方向に押圧され、移動板３２が図７中Ｅ方向にスライドされる。これにより、移動板３２が初期位置に復帰する。また、この移動板３２が図７中Ｅ方向に移動することを受けて、移動板３２の連結片３２ｃが伝達片４１ａを図７中Ｆ方向に押圧するので、シリンダ３４に差した鍵４０が初期位置に復帰する。
【００３７】
上記のように構成されたパチンコ機２の作用について説明する。パチンコ機２で遊技を行う際に、不正に利益を得る、いわゆるゴト行為を行う者（以下、ゴト者と称する）は、ゴト行為としてパチンコ機２を叩いて振動させることがある。パチンコ機２で遊技を行うときには、前面扉５は閉じられており、制御部２０は、振動検知センサ２１による検知を有効化している。振動検知センサ２１は前面扉５の開閉時の振動を検知するほど高感度であるため、この状態のときに、ゴト者が軽めにパチンコ機２を叩いた場合あっても、振動検知センサ２１はその振動を検知し、振動検知信号を制御部２０に出力する。制御部２０は、振動検知信号が入力されたことに応答して、スピーカ１７から、振動を検知した旨の音声（「振動を検知しました」）を出力するとともに、パチンコ球７の打ち出しを停止させる。
【００３８】
一方、パチンコ機２での遊技中に、パチンコ球７が釘同士の間に挟まり、遊技領域４ａに滞留したままの状態になることがある。この場合には、遊技場の管理者が鍵４０により前面扉５の施錠を解除し、前面扉５を開放してパチンコ球７を排除する。そして、パチンコ球７を排除した後、前面扉５を閉じて、施錠装置１６により前面扉５を施錠している。遊技場の管理者が前面扉５を開放すると、開閉検知センサの移動部２２ｂは、バネの付勢によりオン位置からオフ位置に向けて移動し、移動部２２ｂがオン位置からオフ位置に向けて移動したことに応答して、開閉検知センサ２２は、制御部２０に開放信号を出力する。制御部２０は、開放信号が入力されたことに応答して、振動検知センサ２１を、振動を検知しない状態に制御する。
【００３９】
遊技場の管理者は、パチンコ球７を排除した後、前面扉５を閉じる。開閉検知センサ２２は、前面扉５が閉じられ、移動部２２ｂがオン位置に移動したことに応答して、制御部２０に閉じ信号を出力する。制御部２０は、開閉検知センサ２２から閉じ信号が入力されてから５秒経過したことに応答して、振動検知センサ２１を、振動を検知しない状態から振動を検知する状態に切り換える制御を行う。
【００４０】
このように、前面扉５の開閉状態を検知する開閉検知センサ２２を設け、制御部２０は、開閉検知センサ２２から開放信号が入力されたことに応答して、振動検知センサ２１を、振動を検知しない状態に制御し、開閉検知センサ２２から閉じ信号が入力されてから５秒経過したことに応答して、振動検知センサ２１を、振動を検知する状態に制御するから、前面扉５の開閉時に発生する振動を検知可能な振動検知センサ２１を用いた場合にも、前面扉５を開放しているとき及び前面扉５を閉じるときの振動を検知することがなく、前面扉５が閉じられた状態でのゴト行為による振動を確実に検知することができる。
【００４１】
なお、上記実施形態では、押圧タイプの開閉検知センサ２２により、前面扉５の開閉状態を検知するようにしたが、これに限定されることなく、非接触タイプのセンサにより、前面扉５の開閉状態を検知するようにしてもよい。また、開閉検知センサ２２を、本実施形態よりも前面扉５の回転軸（ヒンジ）側、すなわち図３における左側に設けるようにしてもよい。この場合には、前面扉５の開放を素早く検知することができるため、前面扉５を開放するときの振動検知センサ２１による振動検知をより一層防止することができる。
【００４２】
また、上記実施形態では、開閉検知センサ２２を本体枠３に設けたが、これに限定されることなく、開閉検知センサ２２を前面扉５に設けるようにしてもよい。
【００４３】
さらに、上記実施形態では、遊技盤４の振動を検知する振動検知センサ２１を遊技盤４に設けたが、これに限定されることなく、振動検知センサ２１を本体枠３に設けるようにしてもよい。
【００４４】
また、上記実施形態では、遊技盤４の振動を検知する振動検知センサ２１と、前面扉５の開閉を検知する開閉検知センサ２２と、を設け、開閉検知センサ２２による検知に応じて、振動検知センサ２１の駆動を制御するようにしたが、これに限定されることなく、例えば、前面扉５の振動を検知するセンサや、供給皿６の振動を検知するセンサを設け、これらのセンサの駆動を、開閉検知センサ２２による検知に応じて制御するようにしてもよい。
【００４５】
図８に他の実施形態を示す。上記実施形態のものと同様の構成部材には同一の符号を付し、その詳細な説明を簡略化する。この実施形態では、シリンダ３４の挿入凹部３４ａの底面には、シリンダ３４の後面（図８における右側面）に貫通した貫通孔が形成されており、この貫通孔には、検知シャフト５２が挿通されている。
【００４６】
シリンダ３４の後面に設けられた伝達部材４１の後方には、シリンダ３４の挿入凹部３４ａへの鍵４０の挿入を検知する挿入検知ユニット（解錠動作検知手段）５０が設けられている。挿入検知ユニット５０は、支持ケース５１と、検知シャフト５２と、コイルバネ５３と、挿入検知スイッチ５４と、を備えて構成されている。本実施形態では、挿入検知ユニット５０は、鍵４０を使用した解錠動作として、挿入凹部３４ａへの鍵４０の挿入を検知する。支持ケース５１には、コイルバネ５３を収納するバネ収納部５１ａが形成されている。
【００４７】
シリンダ３４に固定される支持ケース５１は、検知シャフト５２を前後方向（図８における左右方向）に移動自在に支持しており、検知シャフト５２は、バネ収納部５１ａに収納されたコイルバネ５３により、前方（図８における左方）に付勢されている。検知シャフト５２の先端部は、挿入凹部３４ａの底面から、前方に突出している。検知シャフト５２には、軸部外周面から外方に突出したリング部５２ａが形成されており、検知シャフト５２は、バネ収納部５１ａを貫通するとともに、リング部５２ａがバネ収納部５１ａに収納されるように設けられている。バネ収納部５１ａに収納されたコイルバネ５３は、リング部５２ａを付勢しており、コイルバネ５３により付勢された検知シャフト５２は、リング部５２ａが支持ケース５１の移動規制壁５１ｂに当接することにより、その移動が規制される。
【００４８】
挿入検知スイッチ５４は、間隔を空けて互いに向き合う弾性変形可能な薄板金属製の第１アーム６１及び第２アーム６２と、第１アーム６１に接続している第１接続ワイヤ６３と、第２アーム６２に接続している第２接続ワイヤ６４と、を備えて構成されている。各接続ワイヤ６３，６４は、制御部２０に接続されており、第１接続ワイヤ６３には、制御部２０の制御に基づいて検知信号が流されている。挿入検知スイッチ５４は、第１アーム６１が、検知シャフト５２の後端部の真後ろに位置するように、支持ケース５１に取り付けられている。
【００４９】
図８（Ａ）に示すように、シリンダ３４の挿入凹部３４ａに鍵４０を挿入されていないときには、第１アーム６１と第２アーム６２とが当接しておらず、第２接続ワイヤ６４から制御部２０に検知信号が入力されていない。制御部２０は、第２接続ワイヤ６４から検知信号が流れてきているか否かを常に監視しており、第２接続ワイヤ６４から検知信号が入力されていないときには、振動検知センサ２１による検知を有効化（振動検知センサ２１を、振動を検知する状態に制御）する。
【００５０】
図８（Ｂ）に示すように、シリンダ３４の挿入凹部３４ａに鍵４０を挿入すると、鍵４０が検知シャフト５２の先端に当接して、検知シャフト５２を後方（図８における右方）に移動させる。検知シャフト５２が後方に移動すると、検知シャフト５２の後端部が第１アーム６１に当接し、第１アーム６１が変形して第２アーム６２に当接する。第１アーム６１と第２アーム６２とが当接すると導通状態となり、第１接続ワイヤ６３に流れている検知信号が、第１アーム６１、第２アーム６２及び第２接続ワイヤ６４を介して、制御部２０に入力される。制御部２０は、第２接続ワイヤ６４から入力される検知信号を開放可能信号として受け入れ、これに応答して、振動検知センサ２１を、振動を検知しない状態に制御する。
【００５１】
挿入凹部３４ａから鍵４０を抜くと、図８（Ａ）に示すように、検知シャフト５２は、コイルバネ５３の付勢により、前方（図８における左方）に移動し、第１アーム６１が元の形状に戻り、第１アーム６１と第２アーム６２とが離間して導通状態が解除される。第１アーム６１と第２アーム６２との導通状態が解除されると、制御部２０に、第２接続ワイヤ６４から検知信号が入力されなくなる（開放可能信号を受け入れていない状態となる）。制御部２０は、第２接続ワイヤ６４から検知信号が入力されなくなってから、予め設定された設定時間（例えば、５秒）経過したことに応答して、振動検知センサ２１を、振動を検知する状態に制御する。なお、上記設定時間は、適宜変更可能である。
【００５２】
このように、前面扉５を開放するために必要なシリンダ３４の挿入凹部３４ａへの鍵４０の挿入を検知する挿入検知ユニット５０を設け、制御部２０は、鍵４０の挿入を検知したことに応答して、振動検知センサ２１を、振動を検知しない状態に制御するから、前面扉５を開放しているとき及び前面扉５を閉じるときの振動を検知することがなく、前面扉５が閉じられた状態でのゴト行為による前面扉５の開閉により生じる軽度の振動であっても確実に検知することができる。
【００５３】
なお、上記実施形態では、支持ケース５１と、検知シャフト５２と、コイルバネ５３と、挿入検知スイッチ５４と、を備えた挿入検知ユニット５０により、シリンダ３４の挿入凹部３４ａへの鍵４０の挿入を検知するようにしたが、その他の押圧タイプのスイッチや非接触タイプのセンサにより、挿入凹部３４ａへの鍵４０の挿入を検知するようにしてもよい。
【００５４】
図９及び図１０に他の実施形態を示す。図１〜図７に示す実施形態のものと同様の構成部材には同一の符号を付し、その詳細な説明を簡略化する。この実施形態では、シリンダ３４の後面に設けられた伝達部材４１の後方に、シリンダ３４の挿入凹部３４ａに挿入された鍵４０の回転動作を検知する回転検知ユニット（解錠動作検知手段）７０が設けられている。回転検知ユニット７０は、シリンダ３４に固定される支持ケース７１と、鍵４０の回転動作に連動して回転する回転片７２と、回転検知スイッチ７３と、を備えて構成されている。本実施形態では、回転検知ユニット７０は、鍵４０を使用した解錠動作として、挿入凹部３４ａに挿入された鍵４０の回転を検知する。
【００５５】
回転片７２は、挿入凹部３４ａに挿入された鍵４０の回転に連動して回転するように設けられている。
【００５６】
回転検知スイッチ７３は、間隔を空けて互いに向き合う薄板金属製の第１アーム８１及び第２アーム８２と、第１アーム８１に接続している第１接続ワイヤ８３と、第２アーム８２に接続している第２接続ワイヤ８４と、第１アーム８１と第２アーム８２との間に配される略コ字状の接続片８５と、を備えて構成されている。第１アーム８１、第２アーム８２及び接続片８５は、非導電性の樹脂からなる支持ケース７１に取り付けられている。各接続ワイヤ８３，８４は、制御部２０に接続されており、第１接続ワイヤ８３には、制御部２０の制御に基づいて検知信号が流されている。
【００５７】
接続片８５は、弾性変形可能な薄板金属により構成され、第１腕部８５ａと第２腕部８５ｂとの間に略菱状の回転片７２が位置するように、支持ケース７１に取り付けられている。
【００５８】
図９及び図１０（Ａ）に示すように、挿入凹部３４ａに挿入された鍵４０が回転されていないときには、回転片７２は、接続片８５の第１腕部８５ａ及び第２腕部８５ｂに当接しておらず、第１腕部８５ａは第１アーム８１に、第２腕部８５ｂは第２アーム８２に、それぞれ当接していない。この状態では、第２接続ワイヤ８４から制御部２０に検知信号が入力されていない。制御部２０は、第２接続ワイヤ８４から検知信号が入力されているか否かを常に監視しており、第２接続ワイヤ８４から検知信号が入力されていないときには、振動検知センサ２１による検知を有効化（振動検知センサ２１を、振動を検知する状態に制御）する。
【００５９】
図１０（Ｂ）に示すように、挿入凹部３４ａに挿入された鍵４０が図中Ｄ方向に回転されると、それに連動して回転片７２が回転し、接続片８５の第１腕部８５ａ及び第２腕部８５ｂに当接する。回転片７２が各腕部８５ａ，８５ｂに当接すると、各腕部８５ａ，８５ｂが外方に向かって変形して、第１腕部８５ａが第１アーム８１に、第２腕部８５ｂが第２アーム８２に、それぞれ当接して、第１アーム８１、接続片８５及び第２アーム８２が導通状態となる。これにより、第１接続ワイヤ８３に流れている検知信号が、第１アーム８１、接続片８５、第２アーム８２及び第２接続ワイヤ８４を介して、制御部２０に入力される。制御部２０は、第２接続ワイヤ８４から入力された検知信号を開放可能信号として受け入れ、これに応答して、振動検知センサ２１を、振動を検知しない状態に制御する。
【００６０】
挿入凹部３４ａに挿入された鍵４０が図中Ｆ方向に回転されると、図１０（Ａ）に示すように、回転片７２と各腕部８５ａ，８５ｂとの当接が解除され、各腕部８５ａ，８５ｂと各アーム８１，８２との当接が解除される。各腕部８５ａ，８５ｂと各アーム８１，８２との当接が解除され、導通状態が解除されると、制御部２０に、第２接続ワイヤ８４から検知信号が入力されなくなる（開放可能信号を受け入れていない状態となる）。制御部２０は、第２接続ワイヤ８４から検知信号が入力されなくなってから、予め設定された設定時間（例えば、５秒）経過したことに応答して、振動検知センサ２１を、振動を検知する状態に制御する。なお、上記設定時間は、適宜変更可能である。
【００６１】
このように、前面扉５を開放するために必要なシリンダ３４の挿入凹部３４ａに挿入された鍵４０の回転を検知する回転検知ユニット７０を設け、制御部２０は、鍵４０の回転を検知したことに応答して、振動検知センサ２１を、振動を検知しない状態に制御するから、前面扉５を開放しているとき及び前面扉５を閉じるときの振動を検知することがなく、前面扉５が閉じられた状態でのゴト行為による前面扉５の開閉により生じる軽度の振動であっても確実に検知することができる。
【００６２】
なお、上記実施形態では、支持ケース７１と、回転片７２と、回転検知スイッチ７３と、を備えた回転検知ユニット７０により、鍵４０の回転を検知するようにしたが、回転タイプのスイッチや非接触タイプのセンサにより、鍵４０の回転を検知するようにしてもよい。
【図面の簡単な説明】
【００６３】
【図１】本発明を実施したパチンコ機の外観を示す斜視図である。
【図２】前面扉を開放した状態のパチンコ機を示す斜視図である。
【図３】本体枠と遊技盤と前面扉と開閉検知センサとを示す上面断面図である。
【図４】施錠装置を示す分解斜視図である。
【図５】施錠装置により前面扉を施錠した状態の本体枠と前面扉と施錠装置とを示す
【図６】施錠装置による前面扉の施錠を解除した状態の本体枠と前面扉と施錠装置とを示す
【図７】シリンダの挿入凹部に挿入された鍵を解除位置に向けて回転させた場合の前面、後面を示す正面図である。
【図８】挿入検知ユニットを設けた実施形態のシリンダと鍵と挿入検知ユニットとを示す側面断面図である。
【図９】回転検知ユニットを設けた実施形態のシリンダと鍵と回転検知ユニットとを示す側面断面図である。
【図１０】図９に示す実施形態の回転片と回転検知スイッチとを示す正面断面図である。
【符号の説明】
【００６４】
２  パチンコ機
３  本体枠
４  遊技盤
５  前面扉
１６  施錠装置
２０  制御部（制御手段）
２１  振動検知センサ
２２  開閉検知センサ
２２ａ  本体部
２２ｂ  移動部
３３  施錠板
３４  シリンダ
３４ａ  挿入凹部
４０  鍵
５０  挿入検知ユニット（解錠動作検知手段）
５４  挿入検知スイッチ
７０  回転検知ユニット（解錠動作検知手段）
７３  回転検知スイッチ
【図１】
2008043411.tif 000003
【図２】
2008043411.tif 000004
【図３】
2008043411.tif 000005
【図４】
2008043411.tif 000006
【図５】
2008043411.tif 000007
【図６】
2008043411.tif 000008
【図７】
2008043411.tif 000009
【図８】
2008043411.tif 000010
【図９】
2008043411.tif 000011
【図１０】
2008043411.tif 000012